(57)【要約】      （修正有）【課題】使用して内部の気圧が減少した硬式テニスボールに空気を注入して長期間使用でき、あるいは、気温や気圧が変わっても空気の注入量で反発を調整でき、強い打撃でも空気注入部の破損を防止した硬式テニスボールを提供する。【解決手段】硬式テニスボールの殻１に内側から外側に向かって円柱形の穴を設け、穴の底は閉じておき、中央に小孔を設ける。そして穴と小孔に、側面に鍔７ａと一端に突起８ａのある空気注入弁３ａを装着する。またはさらに、殻１の内側と空気注入弁の境の付近に、中心に穴の開いている補強円盤１２を装着する。これにより、貫通孔９を介して硬式テニスボールに空気を注入して長期間使用でき、内部気圧を変え反発を調整でき、空気注入部の破損を防止できる。【選択図】図５
0003215951.tif 000002
【実用新案登録請求の範囲】
【請求項１】
硬式テニスボールを構成するゴム材料からなる殻の内面の所定の位置に内側から外側に向かって設けた円柱状の穴と、かつ、内側から見た穴の底は閉じておくと共に底の中心付近に外側に貫通した小孔を設けた前記殻において、前記円柱状の穴に空気注入弁を装着したことを特徴とする硬式テニスボール。
【請求項２】
請求項１に記載した空気注入弁は、中空ボールに空気注入器により空気を注入するときに用いられる貫通孔を有する空気注入弁であって、ほぼ円柱状で側面に鍔を有し、装着時に外側にあたる所の面の中央付近に突起を有することを特徴とする空気注入弁。
【請求項３】
請求項１の殻の円柱状の穴に請求項２の空気注入弁を装着し、さらに、殻の内側と空気注入弁の境の付近を、中心に穴の開いている補強円盤を装着したことを特徴とする硬式テニスボール。
【考案の詳細な説明】
【技術分野】
【０００１】  本考案は、使用して内部の気圧が減った硬式テニスボールに空気を注入して、長期間使用できる、あるいは、気温や気圧が変わっても空気の注入量でバウンドを調整できる、空気注入弁つき硬式テニスボールに関するものである。
【背景技術】
【０００２】  従来の硬式のテニスボールは、プレッシャーボールと称され内圧が気圧より高く（ほぼ１．８気圧）缶など高気圧を維持するものの中に入れられており、使用するときに開缶していた。【０００３】  また、内圧は気圧とほぼ同じだが、やや厚いゴムなどを使ったノンプレシャーボールがある。【０００４】  更に、気圧の低いところで使う高地専用テニスボールがある。【０００５】  また、内圧を調整することができるような、空気注入方式も考案されていた（例えば、文献１から４参照）。
【先行技術文献】
【特許文献】
【０００６】
【特許文献１】特開平９−９４３１２号公報
【特許文献２】特開平８−７１１８２号公報
【特許文献３】実用新案登録第３１５４７１４号公報
【特許文献４】公開実用新案公報昭６３−１２２４５７号公報
【考案の概要】
【考案が解決しようとする課題】
【０００７】  従来の硬式テニスボールは、加圧されている缶から取り出して使用していると、徐々に中の気体が漏れてしばらくするとバウンドが落ちてきて使えなくなる。【０００８】  ノンプレッシャーボールは、試合球としてはあまり使われず、プレッシャーボールと比べ、やや厚いゴムが使われている物が多く、やや重く、打球感や、バウンドが異なるものが多く、練習し辛かった。【０００９】  高地専用テニスボールは、低地でのバウンドは低く抑えられており、気圧の低い高地でしか使えなく、高価である。【００１０】  特許文献１では、逆支弁の構造が弱く、しわができたりすきまができたりして、空気が漏れる可能性が大きく、単に接着剤で付けるだけでは、ボールに加えられた打撃で破損する可能性がある。【００１１】  特許文献２では、栓にキャップをかぶせる形の空気注入弁を取り付けてあるが、構造が大きく質量がありボールの殻に負荷が大きくかかり、はめこんであるだけなので、ボールの殻の内側と栓の接するところに負荷が集中して、そこが破損しやすくなる。【００１２】  特許文献３では、ボールの殻と空気注入弁を一体に接合するとあるが、硬式テニスボールの殻は硬いゴムであり、空気注入弁は柔らかなゴムであって、両者の材質が異なるため強い接着力は得られず、ボールに加えられた打撃でボールの殻の内側と空気注入弁の接するところに負荷が集中して、そこが破損する可能性が大きい。【００１３】  特許文献４では、へそと称する空気注入弁をボールの殻に貼着しただけであり、打撃により破損しやすい。
【課題を解決するための手段】
【００１４】  硬式テニスボールを構成するゴム材料からなる殻の内面の所定の位置に内側から外側に向かって円柱状の穴を設け、穴の底は閉じておき、底の中心付近に小孔を外側に貫通しておき、その円柱状の穴に空気注入弁を装着することを特徴とするものである。【００１５】  空気注入弁は、空気注入器により中空ボールに空気を注入するときに用いられる貫通孔を有する空気注入弁であって、ほぼ円柱状でその側面に鍔を付け、装着時に外側にあたる所の面の中央付近に突起を形成することを特徴とするものである。【００１６】  硬式テニスボールの殻と空気注入弁の接着力が弱い場合は、前記殻の円柱状の穴に空気注入弁装着し、さらに、殻の内側と空気注入弁の境の付近を中に穴の開いている補強円盤を装着することを特徴とするものである。
【考案の効果】
【００１７】  硬式テニスボールの殻に円柱状の穴を作り、空気注入弁に鍔を付けること、さらには場合により補強円盤を付けることで、打撃による殻の破損を防ぐことができる。【００１８】  また、円柱状の穴を作り空気注入弁を挿入することで、空気注入器の針の長さを短くできて針が折れる危険性を減らすことができ、穴の分だけ質量の増加を抑えることができ、穴の底を閉じて小孔をつけ、そこから空気注入弁の突起を外に出すことで、硬式テニスボールの表面の変化を小さく抑えることができる。【００１９】  本考案によれば、空気を注入することで硬式テニスボールが長く使え経済的であり、不要球がゴミとなる無駄を減少させることができ、硬式テニスボールを製造するときの発泡剤や加圧する缶が必要なく安価に製造できる。【００２０】  今までのプレッシャーボールの形態をほぼそのまま使えるため、本考案の硬式テニスボールの弾みはほぼ同じであり、気温や気圧が変わっても空気量を変えて弾みを調整することができる。
【図面の簡単な説明】
【００２１】
【図１】  本考案の硬式テニスボールと空気注入弁の断面図である。フェルトは省略してある。
【図２】  本考案の硬式テニスボールの殻の円柱状の穴の断面図（ａ）と、ボールの中心から見た円柱状の穴の正面図（ｂ）である。
【図３】  側面に鍔を付けた空気注入弁の断面図である。
【図４】  図３の空気注入弁の斜視図である。
【図５】  本考案の補強円盤を取り付けた空気注入弁の断面図である。
【図６】  凸状にした補強円盤を取り付けた空気注入弁の断面図である。
【図７】  図６の空気注入弁（ａ）と補強円盤（ｂ）、空気注入弁と補強円盤を組み合わせた状態（ｃ）の斜視図である。
【考案を実施するための形態】
【００２２】  以下、図面を参照して本考案の実施形態について説明する。
【００２３】  （第１実施形態）
図１から図４は、本考案の第１実施形態に係り、図１は、第１実施形態に係る硬式テニスボールとそれに装着された空気注入弁の断面図、図２は、硬式テニスボールの殻の円柱状の穴と小孔の断面図と正面図、図３は鍔を側面につけた空気注入弁の拡大した断面図、図４は前記注入弁の斜視図である。
【００２４】  硬式テニスボールを構成するゴム材料からなる殻１の内面の所定の位置に、内側から外側に向かって、直径が約３〜１３ｍｍで深さが約０．５〜３ｍｍの円柱状の穴４を設け、穴４の底４ａは閉じておき、底４ａの中心付近に直径が約１〜５ｍｍの小孔５を外側に貫通しておく。
【００２５】  空気注入弁３は、直径が約３〜１０ｍｍで高さが約５〜１２ｍｍのほぼ円柱状であり、空気注入器により中空ボールに空気を注入するときに用いられる貫通孔９を有する空気注入弁３であって、ソフトテニスボールに使われている空気注入弁を使うこともできる。
【００２６】  ソフトテニスボール用の空気注入弁は、形が円柱状の物や、鼓状の物、オーリングが使われている物などがあるが何れも使うことができる。
【００２７】  硬式テニスボールの殻１と空気注入弁３が、ある程度強い接着力を得られる場合は（例えば、硬式テニスボールの核に天然ゴムが入っており、空気注入弁が天然ゴムであり加硫接着ができる場合）前記空気注入弁の側面に鍔７を付け、さらに装着時に外側にあたる所の空気注入弁３の面の中央付近に突起８を形成する。
【００２８】  鍔７は、直径が、約４〜２０ｍｍで、厚さは、約０．２〜３ｍｍ、突起８は小さな円柱状で高さは約０．５〜４ｍｍ、直径は、約１〜４ｍｍが適当である。
【００２９】  図３に示すように、空気注入弁３を穴４に装着し突起８は小孔５に装着し、鍔７は、硬式テニスボールの殻１の内側に接着する。
【００３０】  図３において空気注入弁から鍔７を取り去ると、図３の円柱状の穴の底４ａの外周１０と、殻１の内側の面と空気注入弁の境１１に、打撃による負荷（特にスマッシュでハードコートにボールがたたきつけられた場合大きな撃力となる）がかかり、亀裂が入ったり剥離したりするが、鍔７を付けると打撃による力が殻１と鍔７の間に分散するため破損しにくくなる。
【００３１】  また、硬式テニスボールの殻１に作った円柱状の穴４に空気注入弁３を装着することにより、空気注入弁３の接着面が増え、打撃による力を接着面に分散することにより、剥離を防ぐことができ、さらに、貫通孔９に垂直な空気注入弁３の振動を穴４の側面で抑える効果がある。
【００３２】  また、硬式テニスボールの殻１の厚さの分空気注入器の針を長くしなければならず、折れることもあり危険であるが、空気注入弁３の付近の殻１に円柱状に穴４を作ることにより薄くすれば、針の長さを短くおさえられ、その危険性は減る。
【００３３】  また、穴４を作らないで空気注入弁を取り付けた場合は、その質量で重心がボールの球の中心からやや外れ、僅かではあるがボールの飛び方に影響が出るが、穴４を作る分その影響を減らすことができる。
【００３４】  空気注入弁３の装着時に外側にあたる平面の中央付近に突起８を作り、それを小孔５に装着することで、そこから空気ポンプの針を挿入でき、小孔５であるため、空気注入弁３の装着によるボールとラケットの間の摩擦の変化を小さくできる。
【００３５】  （第２実施形態）
図５から図７は、本考案の第２実施形態に係り、図５、６は、第２実施形態に係る空気注入弁の拡大した断面図、図７は、第６図の空気注入弁の斜視図である。
【００３６】  空気注入弁をつける硬式テニスボールの殻１の形は、第１実施形態と同じである。
【００３７】  硬式テニスボールの殻１や空気注入弁３の鍔７の材質により、お互いの接着力が弱くて（例えば殻１が合成ゴム、鍔７が天然ゴムでできている場合など）鍔７が殻１から剥離する可能性がある場合は、例えば、第１実施形態の空気注入弁３の鍔７を側面のなかで突起のついている方の端に設置した形の空気注入弁３ａと鍔７ａにする。
【００３８】  鍔７ａの厚さは、約０．２〜３ｍｍが適当であり、直径は、約４〜２０ｍｍが適当である。
【００３９】  突起８ａは、小さな円柱状で高さは約０．５〜４ｍｍ、直径は、約１〜４ｍｍが適当である。
【００４０】  前記の空気注入弁３ａの鍔７ａを硬式テニスボールの殻１の穴４に接着し、突起８ａは小孔５に装着し、更に鍔７ａの周りを中に穴の開いた補強円盤１２で覆う。
【００４１】  この中に穴の開いた補強円盤１２の直径は、約３〜２０ｍｍで、厚さは、約０．５〜４ｍｍが適当であり、穴の大きさは、空気注入弁が挿入できる大きさとなる。
【００４２】  この補強円盤１２はボールの殻１と同質の物を使うことにより、強い接着力を持つことができ、補強円盤１２と空気注入弁３ａは弱い接着力であるが、鍔７ａと空気注入弁３ａを押さえ込む構造になっているため、剥離や亀裂が入ることはほとんどない。
【００４３】  硬式テニスボールの殻１と空気注入弁３ａの突起８ａが付いている面は、内圧で殻１の円柱状の穴４の底４ａに押しつけられているため弱い接着力でも空気が漏れることはない。
【００４４】  この補強円盤１２は、図５に示すように上部が平らな形でも良いが、図６、７の様に凸状の補強円盤１２ａにしてボールの殻に埋め込むようにしても効果的である。
【００４５】  凸状の補強円盤１２ａは、円柱を２段に積み重ねた様な形になっており、上段のやや小さな円柱の直径は穴４の直径以下の大きさ、下段のやや大きな円柱の直径はそれより約２〜１０ｍｍ大きくし、２段合わせた厚さは、約０．５〜５ｍｍが適当である。
【００４６】  このように、本考案は、硬式テニスボールの殻１に穴４を作り、空気注入弁に鍔を付けたり補強円盤で覆うことにより、内部に空気を注入して長期間使用でき、内部気圧を変えて反発を調整でき、空気注入部の破損を防止できる硬式テニスボールを提供することができるものである。
【符号の説明】
【００４７】  １      硬式テニスボールの殻
２      フェルトを貼る層
３      空気注入弁（鍔を側面に装着）
３ａ    空気注入弁（鍔を上端に装着、補強円盤が平）
３ｂ    空気注入弁（鍔を上端に装着、補強円盤が凸状）
４      円柱状の穴
４ａ    円柱状の穴の底
５      小孔
６      フェルト
７      鍔（側面に装着）
７ａ    鍔（上端に装着、補強円盤が平）
７ｂ    鍔（上端に装着、補強円盤が凸状）
８      突起（３用）
８ａ    突起（３ａ用）
８ｂ    突起（３ｂ用）
９      貫通孔
１０    円柱の穴の底の周辺部
１１    円柱の穴の入り口の周辺部
１２    補強円盤（形状が平）
１２ａ  補強円盤（形状が凸状）
１３    空気注入弁（鍔を上端に装着、補強円盤が凸状）に補強円盤（形状が凸状）を          装着したもの
【図１】
0003215951.tif 000003
【図２】
0003215951.tif 000004
【図３】
0003215951.tif 000005
【図４】
0003215951.tif 000006
【図５】
0003215951.tif 000007
【図６】
0003215951.tif 000008
【図７】
0003215951.tif 000009